(57)【特許請求の範囲】
【請求項１】
旋回体の後部側に設けられ、上下方向に延びる挿通穴が形成されたウエイトを積み重ねて１層または複数層配設してなる積層型カウンタウエイトと、前記積層型カウンタウエイトを形成する各層のウエイトの各挿通穴に挿通され、これら各層のウエイトを締結する締結具とからなる建設機械のカウンタウエイト装置において、
前記積層型カウンタウエイトのうち少なくとも最下層のウエイトの下面側には、前記挿通穴の下側となる位置に凹陥状をなす収容室を形成し、
前記締結具は、前記ウエイトの各挿通穴に上側から挿通され下端側が前記収容室内に下向きに突出するボルトと、該ボルトの下端側に挿通され前記収容室内に配置されるワッシャと、該ワッシャを介して前記ボルトの下端側に螺着され前記収容室内に収容されるナットとにより構成し、
前記最下層のウエイトには、前記収容室内で前記挿通穴の周囲に、前記ナットにより前記ワッシャが締着されるときの座面となる座面板を設け、
該座面板には、前記収容室内で前記ウエイトの挿通穴の周囲に位置して、前記ウエイトの挿通穴に浸入した水を外部に逃がす水抜き用通路を設ける構成としたことを特徴とする建設機械のカウンタウエイト装置。
【請求項２】
前記座面板を含むワッシャおよびナットは、前記ボルトの締結時に前記ウエイトの下面から下方に突出することなく前記収容室内に収容される構成としてなる請求項１に記載の建設機械のカウンタウエイト装置。
【請求項３】
旋回体の後部側に設けられ、上下方向に延びる挿通穴が形成されたウエイトを積み重ねて１層または複数層配設してなる積層型カウンタウエイトと、前記積層型カウンタウエイトを形成する各層のウエイトの各挿通穴に挿通され、これら各層のウエイトを締結する締結具とからなる建設機械のカウンタウエイト装置において、
前記積層型カウンタウエイトのうち少なくとも最下層のウエイトの下面側には、前記挿通穴の下側となる位置に凹陥状をなす収容室を形成し、
前記締結具は、前記ウエイトの各挿通穴に上側から挿通され下端側が前記収容室内に下向きに突出するボルトと、該ボルトの下端側に挿通され前記収容室内に配置されるワッシャと、該ワッシャを介して前記ボルトの下端側に螺着され前記収容室内に収容されるナットとにより構成し、
前記ワッシャには、前記収容室内で前記ウエイトの挿通穴の周囲に位置して、前記ウエイトの挿通穴に浸入した水を外部に逃がす水抜き用通路を設ける構成としたことを特徴とする建設機械のカウンタウエイト装置。
【請求項４】
旋回体の後部側に設けられ、上下方向に延びる挿通穴が形成されたウエイトを積み重ねて１層または複数層配設してなる積層型カウンタウエイトと、前記積層型カウンタウエイトを形成する各層のウエイトの各挿通穴に挿通され、これら各層のウエイトを締結する締結具とからなる建設機械のカウンタウエイト装置において、
前記積層型カウンタウエイトのうち少なくとも最下層のウエイトの下面側には、前記挿通穴の下側となる位置に凹陥状をなす収容室を形成し、
前記締結具は、前記ウエイトの各挿通穴に上側から挿通され下端側が前記収容室内に下向きに突出するボルトと、前記収容室の下側から前記ボルトの下端側に螺着され前記収容室内で最下層のウエイトの下面側に当接される座付きナットとから構成し、
前記座付きナットには、前記収容室内で前記ウエイトの挿通穴の周囲に位置し、前記ウエイトの挿通穴に浸入した水を外部に逃がす水抜き用通路を設ける構成としたことを特徴とする建設機械のカウンタウエイト装置。
【発明の詳細な説明】
【０００１】
【発明の属する技術分野】
本発明は、例えば油圧クレーン、油圧ショベル等の建設機械に搭載され、上部旋回体の重量バランスをとる建設機械のカウンタウエイト装置に関する。
【０００２】
【従来の技術】
一般に、油圧クレーン等の建設機械は、下部走行体と、下部走行体上に旋回可能に搭載された上部旋回体とから構成され、例えば実開平３−１２７６８９号公報等によって知られている。そして、上部旋回体は、骨組み構造をなす旋回フレームを有し、この旋回フレームの前部側には吊荷作業等を行う作業装置が俯仰動可能に設けられている。また、旋回フレームの後部側には作業装置との重量バランスをとるカウンタウエイト装置が搭載されている。
【０００３】
ここで、前記カウンタウエイト装置は、上下方向に延びる挿通穴が形成されたウエイトを積み重ねて１層または複数層配設してなる積層型カウンタウエイトと、前記積層型カウンタウエイトを形成する各層のウエイトの各挿通穴に挿通され、これら各層のウエイトを締結する締結具とから構成されている。
【０００４】
この種の従来技術による油圧クレーンにあっては、吊荷作業時には吊荷の重量に合わせて旋回フレーム上に積層型カウンタウエイトの各層のウエイトを下から順次積み重ねたり積み降ろしたりすることにより、カウンタウエイト装置の全体重量を適宜に調整し、吊荷を含めた作業装置との重量バランスをとるようにしている。
【０００５】
【発明が解決しようとする課題】
ところで、上述した従来技術による建設機械のカウンタウエイト装置では、積層型カウンタウエイトの各層のウエイトを下から順次積み重ねた状態で各層のウエイト同士を互いに衝合させる構成としている。
【０００６】
しかし、各層のウエイト同士の衝合面間には実質的に僅かな隙間が形成されるため、各層のウエイトに設けた挿通穴には、前記隙間を介して雨水、泥水等が浸入して溜まり易くなる。
【０００７】
この結果、前記ボルトを積層型カウンタウエイトから取外すときには、挿通穴内に溜った雨水等が一度に外部へと漏出し、作業者の作業着等を濡らしてしまうことがあり、このようなボルトの取外し作業が作業者にとって大変煩わしいものとなり、作業性が大幅に低下するという問題がある。また、ボルトおよびナット等に錆が生じ易くなり、ボルト等の寿命を早めてしまうという問題がある。
【０００８】
本発明は上述した従来技術の問題に鑑みなされたもので、本発明は、積層型カウンタウエイトを形成する各ウエイトの挿通穴内に雨水が浸入した場合でも、この雨水等を常に外部に逃がすことができ、挿通穴からボルト等の締結具を取外すときの脱着作業を円滑に行うことができると共に、締結具に錆び等が発生するのを抑えることができるようにした建設機械のカウンタウエイト装置を提供することを目的としている。
【０００９】
【課題を解決するための手段】
上述した課題を解決するために発明は、旋回体の後部側に設けられ、上下方向に延びる挿通穴が形成されたウエイトを積み重ねて１層または複数層配設してなる積層型カウンタウエイトと、前記積層型カウンタウエイトを形成する各層のウエイトの各挿通穴に挿通され、これら各層のウエイトを締結する締結具とからなる建設機械のカウンタウエイト装置に適用される。
【００１０】
そして、請求項１の発明が採用する構成の特徴は、前記積層型カウンタウエイトのうち少なくとも最下層のウエイトの下面側には、前記挿通穴の下側となる位置に凹陥状をなす収容室を形成し、前記締結具は、前記ウエイトの各挿通穴に上側から挿通され下端側が前記収容室内に下向きに突出するボルトと、該ボルトの下端側に挿通され前記収容室内に配置されるワッシャと、該ワッシャを介して前記ボルトの下端側に螺着され前記収容室内に収容されるナットとにより構成し、前記最下層のウエイトには、前記収容室内で前記挿通穴の周囲に、前記ナットにより前記ワッシャが締着されるときの座面となる座面板を設け、該座面板には、前記収容室内で前記ウエイトの挿通穴の周囲に位置して、前記ウエイトの挿通穴に浸入した水を外部に逃がす水抜き用通路を設ける構成としたことにある。
【００１１】
このように構成することにより、最下層のウエイトの下面側に形成した凹陥状をなす収容室内で、ボルトの下端側にワッシャを介してナットを螺着したときに座面板の水抜き用通路が前記ワッシャやボルト等で塞がれることはない。これにより、積層型カウンタウエイトを形成する各ウエイトの挿通穴内に雨水等が浸入したときには、この雨水を各ウエイトのうち最下層のウエイトに設けた挿通穴の下端側で、最下層のウエイトの下面側から水抜き用通路へと導いて外部に逃がすことができる。
【００１２】
即ち、前記最下層のウエイトは下面側に固着された座面板を有し、この座面板には前記水抜き用通路を設ける構成としているので、前記ウエイトの挿通穴内に雨水等が浸入したときには、この雨水を最下層のウエイトの下面側とワッシャとの間から座面板に設けた水抜き用通路を介して外部に逃がすことができる。
【００１４】
また、請求項２の発明によると、前記座面板を含むワッシャおよびナットは、前記ボルトの締結時に前記ウエイトの下面から下方に突出することなく前記収容室内に収容される構成としている。
【００１５】
一方、請求項３の発明が採用する構成の特徴は、前記積層型カウンタウエイトのうち少なくとも最下層のウエイトの下面側には、前記挿通穴の下側となる位置に凹陥状をなす収容室を形成し、前記締結具は、前記ウエイトの各挿通穴に上側から挿通され下端側が前記収容室内に下向きに突出するボルトと、該ボルトの下端側に挿通され前記収容室内に配置されるワッシャと、該ワッシャを介して前記ボルトの下端側に螺着され前記収容室内に収容されるナットとにより構成し、前記ワッシャには、前記収容室内で前記ウエイトの挿通穴の周囲に位置して、前記ウエイトの挿通穴に浸入した水を外部に逃がす水抜き用通路を設ける構成としたことにある。
【００１６】
このように構成することにより、前記ウエイトの挿通穴内に雨水等が浸入したときには、この雨水を最下層のウエイトの下面側とナットとの間からワッシャに設けた水抜き用通路を介して外部に逃がすことができる。
【００１７】
さらに、請求項４の発明が採用する構成の特徴は、前記積層型カウンタウエイトのうち少なくとも最下層のウエイトの下面側には、前記挿通穴の下側となる位置に凹陥状をなす収容室を形成し、前記締結具は、前記ウエイトの各挿通穴に上側から挿通され下端側が前記収容室内に下向きに突出するボルトと、前記収容室の下側から前記ボルトの下端側に螺着され前記収容室内で最下層のウエイトの下面側に当接される座付きナットとから構成し、前記座付きナットには、前記収容室内で前記ウエイトの挿通穴の周囲に位置し、前記ウエイトの挿通穴に浸入した水を外部に逃がす水抜き用通路を設ける構成としたことにある。
【００１８】
【発明の実施の形態】
以下、本発明に係る建設機械のカウンタウエイト装置の実施の形態を、図１ないし図９に従って詳細に説明する。
【００１９】
図１ないし図５は本発明の第１の実施の形態による建設機械のカウンタウエイト装置を油圧クレーンに適用した場合を示している。
【００２０】
図中、１は下部走行体、２は下部走行体１上に旋回可能に搭載された上部旋回体で、この上部旋回体２は、骨組み構造をなす旋回フレーム３と、旋回フレーム３上に搭載された後述のカウンタウエイト装置５等から構成されている。また、旋回フレーム３の前部側には、吊荷作業等を行う作業装置４が俯仰動可能に設けられている。
【００２１】
５は旋回フレーム３の後部側に搭載されたカウンタウエイト装置で、このカウンタウエイト装置５は、後述の積層型カウンタウエイト６およびボルト１３，１９，２３等から構成され、旋回フレーム３の前部側に設けた作業装置４との重量バランスをとるものである。
【００２２】
６は後述の各ウエイト７，１２，１８，２１，２２を旋回フレーム３上に積み重ねて複数層配設してなる積層型カウンタウエイトで、この積層型カウンタウエイト６は、前述した油圧クレーンを輸送する場合に、輸送制限の関係上、旋回フレーム３から取外されて別個に輸送されるもので、各ウエイト７，１２，１８，２１，２２は、それぞれ、寸法、重量が輸送制限内に収まるように構成されている。また、旋回フレーム３上に積み重ねるこれらウエイト７，１２，１８，２１，２２の個数を増やしたり、減らしたりすることによりカウンタウエイト装置５全体の重量を調整することも可能である。
【００２３】
７は積層型カウンタウエイト６のうち最下層に位置する下層ウエイトで、この下層ウエイト７は、図２ないし図４に示す如く中空の密閉構造をなし、旋回フレーム３の後部側に着脱可能に取付けられた箱体８と、箱体８内に充填された重量調整材９とから構成されている。
【００２４】
１０，１０，…は箱体８の下面板８Ａ側に凹陥状をなして設けられたナット収容室で、このナット収容室１０は、図２に示す如く下層ウエイト７の幅方向中間位置に１個、左右に２個ずつ離間して配設され、その内部には後述する各ナット１４，２０，２４が収容されている。そして、ナット収容室１０は、図４に示すように下面板８Ａから上向きに延びる筒板１０Ａと、筒板１０Ａの上端に固着された環状板１０Ｂとから構成されている。
【００２５】
１１，１１，…はナット収容室１０に対応して下層ウエイト７の幅方向中間位置に１個、左右に２個ずつ離間して設けられたボルト挿通筒で、このボルト挿通筒１１は、図４に示す如く、その上端側が箱体８の上面板（図示せず）に固着され、下端側は環状板１０Ｂに固着され、ナット収容室１０に開口している。そして、各ボルト挿通筒１１は、それぞれの内周側が下層ウエイト７を上下方向に延びる挿通穴１１Ａ，１１Ａ，…として形成されている。
【００２６】
１２は下層ウエイト７上に積み重ねるように設けられた第１の中層ウエイトで、この第１の中層ウエイト１２は、図２および図３に示す如く鋳造等の手段を用いて四角柱状に成形され、その下面側が箱体８の上面板に嵌合した状態で下層ウエイト７上に位置決めされている。また、第１の中層ウエイト１２には、下層ウエイト７の各挿通穴１１Ａと対応した位置に上下方向に延びる複数の挿通穴１２Ａ，１２Ａ…が中層ウエイト１２の幅方向中間位置に１個、左右両側に２個ずつ形成されている。
【００２７】
１３，１３は下層ウエイト７の左右の挿通穴１１Ａおよび第１の中層ウエイト１２の左右の挿通穴１２Ａに挿通された一対のボルトで、このボルト１３は、図４に示す如く呼び径が例えばＭ４０程度に設定され、その下端側には各ナット１４が螺着されている。また、ボルト１３の下端側にはワッシャ１５が挿通され、このワッシャ１５はナット１４と後述の座面板１６との間に当接状態で挟持されている。そして、ボルト１３は、ナット１４およびワッシャ１５と共に第１の中層ウエイト１２を下層ウエイト７上に一体に締結する締結具を構成している。
【００２８】
１６は下層ウエイト７のナット収容室１０内に位置して環状板１０Ｂとワッシャ１５との間に設けられた一対の座面板で、この座面板１６は、図４および図５に示す如く、例えば６ｍｍ程度の厚さ寸法を有する環状板を径方向で２分割することにより形成され、ボルト１３の周囲で互いに対称な半円形状をなして配置されている。また、各座面板１６は、ボルト１３の径方向で互いに対向した端部がカット面部１６Ａ，１６Ａとなっている。
【００２９】
ここで、各座面板１６はボルト１３の径方向に対し互いに離間して配設され、各カット面部１６Ａ間の隙間寸法ｄは例えば約１０ｍｍ程度に設定されている。そして、各座面板１６は環状板１０Ｂに一体に固着され、その端面にはナット１４によりワッシャ１５が締着される構成になっている。また、この座面板１６を含むワッシャ１５およびナット１４は、図４に示すようにボルト１３の締結時に下層ウエイト７の下面板８Ａから下方に突出することなく前記収容室１０内に収容されるものである。
【００３０】
１７，１７は挿通穴１１Ａの下端側周囲に位置して座面板１６に設けられた水抜き用通路で、この水抜き用通路１７は、各座面板１６のカット面部１６Ａ，１６Ａ間、および下層ウエイト７の環状板１０Ｂとワッシャ１５との間をボルト１３の径方向に向けて延び、挿通穴１１Ａの下端側をナット収容室１０側へと外部に開口させる開口部として構成されている。そして、各水抜き用通路１７は、後述するように挿通穴１１Ａ，１２Ａ内に浸入した雨水等を外部に排出する構成となっている。
【００３１】
１８は積層型カウンタウエイト６の左右の幅方向中間位置で第１の中層ウエイト１２上に積み重ねるように設けられた第１の上層ウエイトで、この第１の上層ウエイト１８は、図２に示す如く、鋳造等の手段を用いて四角柱状に成形され、その下面側が中層ウエイト１２上に嵌合した状態で位置決めされている。また、上層ウエイト１８には、中層ウエイト１２の中間の挿通穴１２Ａと対応した位置で上下方向に延びる挿通穴１８Ａが設けられている。
【００３２】
１９は下層ウエイト７の中間の挿通穴１１Ａ、第１の中層ウエイト１２の挿通穴１２Ａおよび第１の上層ウエイト１８の挿通穴１８Ａにそれぞれ挿通されたボルトで、このボルト１９は、ボルト１３と同様にナット２０およびワッシャ等と共に締結具を構成し、中層ウエイト１２および上層ウエイト１８を下層ウエイト７上で一体に締結している。そして、ボルト１９の下端側にも、前記ボルト１３側と同様にして下層ウエイト７の座面板側に水抜き用通路（いずれも図示せず）が形成されている。
【００３３】
２１，２１は第１の上層ウエイト１８の左右両側に位置して第１の中層ウエイト１２上に積み重ねるように設けられた第２の中層ウエイトで、この第２の中層ウエイト２１は、図２および図３に示す如く、上層ウエイト１８と同様に第１の中層ウエイト１２上で位置決めされている。また、中層ウエイト２１には、中層ウエイト１２の左右の挿通穴１２Ａと対応した位置で上下方向に延びる挿通穴２１Ａが設けられている。
【００３４】
２２，２２は第２の各中層ウエイト２１上に積み重ねるように設けられた第２の上層ウエイトで、この第２の上層ウエイト２２は、その下面側が中層ウエイト２１上に嵌合した状態で位置決めされている。また、上層ウエイト２２には、中層ウエイト２１の左右の挿通穴２１Ａと対応した位置で上下方向に延びる挿通穴２２Ａが設けられている。
【００３５】
２３は下層ウエイト７の左右の挿通穴１１Ａ、第１，第２の中層ウエイト１２，２１の挿通穴１２Ａ，２１Ａおよび第２の上層ウエイト２２の挿通穴２２Ａに挿通された一対のボルトで、このボルト２３は、図３に示す如くナット２４およびワッシャ等と共に締結具を構成し、中層ウエイト１２，２１および上層ウエイト２２を下層ウエイト７上で一体に締結している。そして、ボルト２３の下端側にも、前記ボルト１３側と同様に下層ウエイト７の座面板２５側に水抜き用通路（図示せず）が形成されている。
【００３６】
本実施の形態による油圧ショベルは上述の如き構成を有するもので、次にその作動について説明する。
【００３７】
まず、上部旋回体２の前部側に設けた作業装置４により比較的重量の重い資材を運搬するときには、下層ウエイト７上には、例えば図２に示すように資材の重量に合わせて第１，第２の中層ウエイト１２，２１および上層ウエイト１８，２２を下から順次積み重ね、この状態で各ウエイト７，１２，１８，２１，２２からなる積層型カウンタウエイト６を各ボルト１３，１９，２３等を介して一体に締結するようにする。また、この場合、資材の重さに合わせて上層ウエイト１８上には、さらに第２の上層ウエイト２２とほぼ同様の他の上層ウエイト（図示せず）を積み重ねるようにしてもよい。
【００３８】
また、比較的軽量の資材を運搬するときには、各ボルト１３，１９，２３を積層型カウンタウエイト６から抜取った後に、資材の重さに合わせて例えば第１，第２の上層ウエイト１８，２２および第２の中層ウエイト２１を上から順々に積み降ろす。そして、この状態で第１の中層ウエイト１２と下層ウエイト７とを各ボルト１３等を介して締結する。また、この場合、資材の重さに合わせて第２の上層ウエイト２２のみを積み降ろしてもよいし、第１，第２の中層ウエイト１２，２１および上層ウエイト１８，２２全てを下層ウエイト７から積み降ろすようにしてもよい。
【００３９】
そして、このように資材の重さに合わせて下層ウエイト７上に各ウエイト７，１２，１８，２１，２２を積み重ねたり積み降ろしたりすることにより、積層型カウンタウエイト６の全体重量を適宜に調整し、吊荷を含めた作業装置４との重量バランスをカウンタウエイト装置５でとるようにする。
【００４０】
ところで、旋回フレーム３上には、積層型カウンタウエイト６を形成する各ウエイト７，１２，１８，２１，２２が各ボルト１３，１９，２３の締付け力によって互いに衝合状態で積載されているものの、各ウエイト７，１２，１８，２１，２２同士の衝合面間には実質的に微小な隙間が形成される。
【００４１】
このため、積層型カウンタウエイト６の各挿通穴１１Ａ，１２Ａ，１８Ａ，２１Ａ，２２Ａとボルト１３，１９，２３との間には、前記隙間等を介して雨水、泥水等が浸入し易くなる。
【００４２】
然るに本実施の形態では、積層型カウンタウエイト６のうち最下層側に位置する下層ウエイト７の下面板８Ａ（環状板１０Ｂ）側には、各挿通穴１１Ａの下端側外周に位置して水抜き用通路１７等を設ける構成としたから、各挿通穴１１Ａ，１２Ａ，１８Ａ，２１Ａ，２２Ａに雨水等が浸入したときには、この雨水等を図４および図５に示すように挿通穴１１Ａの下端側から矢示Ａ方向へと水抜き用通路１７内に導きつつ、矢示Ｂ方向に向けて外部に排出することができる。
【００４３】
従って、本実施の形態によれば、ボルト１３，１９，２３の脱着作業時には、作業着等を濡らすことなく円滑に作業を行うことができ、全体の作業性を高めることができる。そして、ボルト１３，１９，２３およびナット１４，２０，２４等の締結具に錆びが発生するのを抑えることができ、これらのボルト１３，１９，２３、ナット１４，２０，２４の寿命を延ばすことができる。
【００４４】
また、ボルト１３，１９，２３の下端側には、それぞれワッシャ１５等を介してナット１４，２０，２４を螺着すると共に、下層ウエイト７の環状板１０Ｂにはワッシャ１５が当接する各座面板１６を一体に固着し、水抜き用通路１７を各座面板１６間に形成する構成としたから、ナット１４をボルト１３に締付けるときに、仮にワッシャ１５がナット１４に対して偏心するように位置ずれしても、座面板１６が環状板１０Ｂとワッシャ１５との間で位置ずれするようなことはない。
【００４５】
これによって、挿通穴１１Ａの下端側を各水抜き用通路１７を介して常に同じ位置で外部に開口させることができ、水抜き用通路１７から安定した状態で雨水等を排出することができる。
【００４６】
次に、図６および図７は本発明による第２の実施の形態を示し、本実施の形態では前記第１の実施の形態と同一の構成要素に同一の符号を付し、その説明を省略するものとする。しかし、本実施の形態の特徴は、前記第１の実施の形態で述べたカウンタウエイト装置５に替えてカウンタウエイト装置３１を設け、このカウンタウエイト装置３１のうち、ボルト１３、ナット１４と共に締結具の一部を構成するワッシャ３２には水抜き用通路３３を設ける構成としたことにある。
【００４７】
ここで、前記カウンタウエイト装置３１は、前記第１の実施の形態で述べたカウンタウエイト装置５とほぼ同様に、積層型カウンタウエイト６およびボルト１３等の締結具により構成されている。
【００４８】
しかし、カウンタウエイト装置３１は、下層ウエイト７の環状板１０Ｂには前記第１の実施の形態で述べた座面板１６が廃止されている点、およびボルト１３の外周側には、前記第１の実施の形態で述べたワッシャ１５に替えてワッシャ３２が設けられている点で、前記第１の実施の形態のものとは異なっている。そして、この場合には下層ウエイト７の環状板１０Ｂはワッシャ３２の座面を構成するものである。
【００４９】
また、前記ワッシャ３２は、前記第１の実施の形態によるワッシャ１５とほぼ同様に形成されているものの、ワッシャ３２は略Ｃ字形状の平板により形成され、ナット１４により環状板１０Ｂに直接当接している。そして、ワッシャ３２は、ボルト１３の径方向に延びる一対のカット面部３２Ａ，３２Ａを有し、この各カット面部３２Ａ間には、環状板１０Ｂとナット１４との間に位置して、前記第１の実施の形態で述べた水抜き用通路１７とほぼ同様の水抜き用通路３３が形成される。
【００５０】
かくして、このように構成される本実施の形態でも、前記第１の実施の形態とほぼ同様の作用効果を得ることができる。
【００５１】
なお、前記第２の実施の形態では、下層ウエイト７上に第１の中層ウエイト１２を締結する締結具を各ボルト１３、ナット１４およびワッシャ３２により構成し、ワッシャ３２側には水抜き用通路３３を設ける構成として述べたが、これに替えて、例えば図８および図９に示す変形例のように、ナット１４、ワッシャ３２を廃止して、ボルト１３には座付きナット４１を螺着し、ボルト１３および座付きナット４１により締結具を構成すると共に、座付きナット４１には水抜き用通路４２を設ける構成としてもよい。そして、この変形例では、前記水抜き用通路４２は、座付きナット４１の一側を部分的に切欠くことにより径方向に延びた長溝として形成されている。
【００５２】
また、前記第１の実施の形態では、座面板１６には２個の水抜き用通路１７，１７を設ける構成として述べたが、これに替えて、例えば図５中に一点鎖線で示すように各水抜き用通路１７に加えて、さらに２個の水抜き用通路１７′，１７′を座面板１６に追加して設ける構成としてもよい。
【００５３】
さらに、前記第１の実施の形態では、ワッシャ１５および座面板１６のうち、座面板１６側のみに各水抜き用通路１７を設ける構成として述べたが、これに替えて、ワッシャ１５側についても前記第２の実施の形態で述べた水抜き用通路３３と同様の水抜き用通路を設ける構成としてもよい。
【００５４】
また、前記第２の実施の形態では、下層ウエイト７の環状板１０Ｂおよびワッシャ３２のうち、ワッシャ３２側のみに水抜き用通路３３を設ける構成として述べたが、これに替えて、例えば図６中に一点鎖線で示すように、環状板１０Ｂの端面に切削加工を施すことにより、長溝からなる水抜き用通路５１を環状板１０Ｂ側に設ける構成としもよい。
【００５５】
さらに、前記各実施の形態では、積層型カウンタウエイト６のうち最下層に位置する下層ウエイト７側のみに水抜き用通路１７（３３）等を設ける構成として述べたが、これに替えて、例えば下層ウエイト７を積層型カウンタウエイト６から取外し、第１の中層ウエイト１２を直接旋回フレーム３上に設けると共に、この第１の中層ウエイト１２側には水抜き用通路１７（３３）と同様の水抜き用通路を設ける構成としてもよい。
【００５６】
また、これと同様に下層ウエイト７および第１の中層ウエイト１２を積層型カウンタウエイト６から取外し、上層ウエイト１８および第２の中層ウエイト２１を直接旋回フレーム３上に設けると共に、これらのウエイト１８，２１に水抜き用通路１７（３３）と同様の水抜き用通路を設ける構成としてもよい。
【００５７】
さらに、前記各実施の形態では、建設機械として油圧クレーンを例に挙げて説明したが、本発明はこれに限るものではなく、例えば油圧ショベル等の他の建設機械にも適用できるものである。
【００５８】
【発明の効果】
以上詳述した如く、請求項１に記載の発明によれば、積層型カウンタウエイトを形成する各層のウエイトにはそれぞれ上下方向に延びる挿通穴を形成し、該挿通穴には各層のウエイトを締結する締結具を挿通すると共に、前記積層型カウンタウエイトのうち少なくとも最下層のウエイトの下面側には、前記挿通穴の下側となる位置に凹陥状をなす収容室を形成し、前記締結具は、ボルト、ナットおよびワッシャにより構成し、前記最下層のウエイトには、前記収容室内で前記挿通穴の周囲に、前記ナットにより前記ワッシャが締着されるときの座面となる座面板を設け、該座面板には、前記収容室内で前記ウエイトの挿通穴の周囲に位置して、前記ウエイトの挿通穴に浸入した水を外部に逃がす水抜き用通路を設ける構成としたから、各挿通穴とボルトとの間に浸入した雨水等を最下層のウエイトの下面側から水抜き用通路を介して外部に逃がすことができる。このため、ボルトを挿通穴から取外す脱着作業時には、従来技術で述べたように各挿通穴内に浸入した雨水等が漏出して作業着等を濡らすことなく円滑に作業を行うことができ、全体の作業性を高めることができる。そして、締結具に錆び等が発生するのを抑え、締結具の寿命を延ばすことができる。
【００５９】
即ち、最下層のウエイトは下面側に固着された座面板を有し、前記座面板には前記水抜き用通路を設ける構成としたから、各挿通穴内に浸入した雨水等を最下層のウエイトの下面側とワッシャとの間から座面板に設けた水抜き用通路を介して外部に逃がすことができる。そして、前記収容室内でナットをボルトに締付けるときには、座面板の水抜き用通路がワッシャやボルト等で塞がれるようなことはなくなり、これによって、最下層のウエイトの挿通穴を水抜き用通路を介して常に同じ位置で外部に開口させることができ、水抜き用通路から排出される雨水の排出効率を高めることができる。
【００６０】
また、請求項２の発明によると、前記座面板を含むワッシャおよびナットは、前記ボルトの締結時に前記ウエイトの下面から下方に突出することなく前記収容室内に収容される構成としたから、前記収容室内でナットをボルトに締付けるときに、座面板の水抜き用通路がワッシャやボルト等で塞がれるようなことはなくなり、前記座面板、ワッシャおよびナットをウエイトの下面から下方に突出させることなく、前記収容室内に収容することができる。そして、最下層のウエイトの挿通穴を水抜き用通路を介して常に同じ位置で外部に開口させることができ、水抜き用通路から排出される雨水の排出効率を高めることができる。
【００６１】
また、請求項３の発明では、締結具を、ボルト、ナットおよびワッシャにより構成し、前記ワッシャには、収容室内でウエイトの挿通穴の周囲に位置して、前記ウエイトの挿通穴に浸入した水を外部に逃がす水抜き用通路を設ける構成としたから、前記ウエイトの挿通穴内に浸入した雨水等を、最下層のウエイトの下面側とナットとの間からワッシャの水抜き用通路を介して外部に逃がすことができ、請求項１の発明とほぼ同様の効果を得ることができる。
【００６２】
また、請求項４の発明では、締結具を、ボルトおよび座付きナットにより構成し、この座付きナットには、収容室内でウエイトの挿通穴の周囲に位置して、前記ウエイトの挿通穴に浸入した水を外部に逃がす水抜き用通路を設ける構成としたから、この場合についても請求項１の発明とほぼ同様の効果を得ることができる。
【図面の簡単な説明】
【図１】本発明の第１の実施の形態に適用される油圧クレーンを示す外観図である。
【図２】図１中のカウンタウエイト装置を拡大して示す正面図である。
【図３】図１中の矢示III −III 方向からみた部分拡大断面図である。
【図４】図３中のａ部を拡大して示す断面図である。
【図５】図４中の矢示Ｖ−Ｖ方向からみた横断面図である。
【図６】本発明の第２の実施の形態による油圧クレーンのカウンタウエイト装置を示す図４と同様位置での要部拡大断面図である。
【図７】図６中の矢示 VII−VII 方向からみた横断面図である。
【図８】本発明の変形例による油圧クレーンのカウンタウエイト装置に用いる座付きナットを示す縦断面図である。
【図９】図８中の矢示IX−IX方向からみた横断面図である。
【符号の説明】
２  上部旋回体
５，３１  カウンタウエイト装置
６  積層型カウンタウエイト
７  下層ウエイト
１１Ａ，１２Ａ，１８Ａ，２１Ａ，２２Ａ  挿通穴
１２，２１  中層ウエイト
１３，１９，２３  ボルト
１４，２０，２４  ナット
１５  ワッシャ
１６，２５  座面板
１７，１７′３３，４２，５１  水抜き用通路
１８，２２  上層ウエイト
４１  座付きナット
【図１】
0003766196.tif 000002
【図２】
0003766196.tif 000003
【図３】
0003766196.tif 000004
【図４】
0003766196.tif 000005
【図５】
0003766196.tif 000006
【図６】
0003766196.tif 000007
【図７】
0003766196.tif 000008
【図８】
0003766196.tif 000009
【図９】
0003766196.tif 000010